(57)【特許請求の範囲】
【請求項１】
長手方向に所定の間隔で形成されたポケットの底面に周面から離間して四角形状の台座を膨出成形して該台座と前記ポケット周面との間にリード収容溝を形成するとともに、該台座の座面周縁に仕切りリブを前記ポケット内方向に突設形成したキャリアテープにおいて、
前記座面角部の仕切りリブと連続し前記座面の対角線方向外側に向かって前記ポケット側壁に延びる補助リブが前記リード収容溝に形成され、かつ該補助リブの前記座面からの高さが全長に渡って仕切りリブの前記座面からの高さと同じであるか、または該補助リブの対角線内方側の端部が仕切りリブの前記座面からの高さと同じであり、該補助リブの高さを対角線外方に向かうにつれて漸減したことを特徴とするキャリアテープ。
【請求項２】
前記補助リブ幅ｂが前記仕切りリブの幅ａに対し次の式で定まる値であることを特徴とする請求項１に記載のキャリアテープ。
（式）ａ≦ｂ≦２×ａ×ｃｏｓ４５°
【請求項３】
前記補助リブが前記ポケット周面またはリード収容溝底面と連続する部分を拡幅させたことを特徴とする請求項１または請求項２に記載のキャリアテープ。
【発明の詳細な説明】
【０００１】
【発明の属する技術分野】
この発明は、電子部品の装着装置への供給や輸送等に用いるキャリアテープ、特に、モールド部とリードからなるＱＦＰ (Quad Flat Package)  等の半導体パッケージに適したキャリアテープに関する。
【０００２】
【従来の技術】
従来のキャリアテープとしては、例えば、特公平４−４２２６０号公報等に記載されたものが知られる。この特公平４−４２２６０号公報には、図７および図８に示すように、平面視矩形凹状の複数のポケット２が形成された帯状長尺のキャリアテープであって、ポケット２の底面にポケット２周面から離間して平面視矩形状の台座３を形成し、台座３とポケット２周面との間にリード収容溝４を形成し、台座３の上面周縁に仕切りリブ５を突隆させたものが記載される。
【０００３】
このようなキャリアテープにあっては、ポケット２内にそれぞれ半導体パッケージＰがリードＰｂをリード収容溝４内に位置させてモールド部Ｐａを台座３上面の仕切りリブ５の内側に載せて収容される。そして、このキャリアテープは、ポケット２内に半導体パッケージＰを収容した後に、ポケット２の開口面側にカバーテープ（図示せず）が貼合される。
【０００４】
【発明が解決しようとする課題】
しかしながら、上述した特公平４−４２２６０号公報に記載のキャリアテープにあっては、作業者による取扱時等において曲げモーメントが作用すると、ポケット２と台座３との間にリード収容溝４の変形を伴う歪みが発生し、ポケット２の周面がリードＰｂに当接してリードＰｂが曲げ等を生じるおそれがあるという問題があった。
【０００５】
すなわち、図８ａに示すようにキャリアテープにポケット２の開口側（表面）とポケット２の底部側（裏面）とが長手方向に相対的な変位を生じるような曲げモーメントが作用した場合、また、図８ｂに示すように、キャリアテープに表面側を凸とする曲げを生じるような曲げモーメントが作用した場合、さらに、図８ｃに示すようにキャリアテープに裏面側を凸とする曲げを生じるような曲げモーメントが作用した場合、半導体パッケージＰのリードＰｂがポケット２の周面と当接して押圧され、曲げを生じることがあった。
【０００６】
また、このようなキャリアテープは金型等を用いて圧空成形、真空成形あるいはプレス成形等により成形され、金型に微細な突条を形成して該突条により仕切りリブを成形するが、仕切りリブの角部で突条に樹脂成形部分が抱き付くように密着し、離型性が阻害されて成形したキャリアテープに変形等の不都合が生じるという問題もあった。
この発明は、上記問題に鑑みなされたもので、キャリアテープに外力が作用した場合でもポケット内に収納した電子部品のリードに曲げ等の不都合が生じることがなく、また、成形に際しての離型性も改善することができるキャリアテープを提供することを目的とする。
【０００７】
【課題を解決するための手段】
上記目的を達成するため、この発明は、長手方向に所定の間隔で形成されたポケットの底面に周面から離間して四角形状の台座を膨出成形して該台座と前記ポケット周面との間にリード収容溝を形成するとともに、該台座の座面周縁に仕切りリブを前記ポケット内方向に突設形成したキャリアテープにおいて、
前記座面角部の仕切りリブと連続し前記座面の対角線方向外側に向かって前記ポケット側壁に延びる補助リブが前記リード収容溝に形成され、かつ該補助リブの前記座面からの高さが全長に渡って仕切りリブの前記座面からの高さと同じであるか、または該補助リブの対角線内方側の端部が仕切りリブの前記座面からの高さと同じであり、該補助リブの高さを対角線外方に向かうにつれて漸減したことを特徴とするキャリアテープである。
【０００８】
そして、この発明にかかるキャリアテープは、前記補助リブ幅ｂが前記仕切りリブの幅ａに対して以下の関係式で定まる範囲とする態様（請求項２）とする。関係式は、ａ≦ｂ≦２×ａ×coｓ４５°（式）である。さらに、前記補助リブが前記対角線方向外側部分、すなわち、ポケット周面またはリード収容溝底面と連続する部分を拡幅させた態様（請求項３）に構成することができる。
【０００９】
電子部品は、モールド部（電子部品本体）等からリードが延出するものであり、前述したＱＦＰ等の半導体パッケージに代表される。
キャリアテープは、多数のポケットが一定の間隔を隔て形成され、また、必要に応じて一側あるいは両側に一定間隔で多数の送り孔が形成される。このキャリアテープは、ポリスチレン、ポリ塩化ビニル系樹脂、ポリエチレンテレフタレートあるいはポリプロピレン等の熱可塑性樹脂シートを圧空、プレスあるいは真空成形等で成形して製造される。
ポケットは、電子部品と対応した平面視四角形状の凹部等、例えば、一面（表面）に開口した直方体あるいは立方体形状の凹部からなる。
【００１０】
台座は上面が電子部品のモールド部と対応（例えば、相似）した四角形状、例えば、正方形等の形状を有する。
仕切りリブは、少なくとも台座上面の４角部に形成される。この仕切りリブは、連続であると間欠的であるとを問わないが、連続的に四角枠状に形成することが望ましい。
リード収容溝は、台座の周囲に全周にわたって台座の起立壁とポケットの側壁とにより区画形成されて電子部品のリードを収容し、その深さおよび幅が電子部品のリードに応じて定められる。
【００１１】
補助リブは、一端（内側端）が台座上の角部の仕切りリブと連続して台座の対角線外方
向に延在し、他端がリード収容溝の底面あるいはポケットの側面あるいは上部（テープ表面）と連続する。この補助リブは、高さが全長にわたって仕切りリブと同一の高さ、あるいは、対角線外方に向かって漸減する。望ましい形態としては、この補助リブは、幅寸法法（付け根部分の幅寸法）ｂが仕切りリブの幅寸法ａを基準として上述した式で規定される範囲に、また、対角線外方の部分が拡幅してリード収容溝の底面やポケットの側面等に大きな面積で連続する。
【００１２】
【作用】
この発明にかかるキャリアテープは、台座上面周縁の仕切りリブから台座の対角線外方に向かってポケットの側面やリード収容溝の底面等まで補助リブが延出し、リード収容溝の剛性が向上する。このため、前述した図８ａ，ｂ，ｃに示すような曲げモーメントが作用しても、リード収容溝の変形を抑制でき、ポケットに収容した電子部品にリードの曲げ等が生じることを防止できる。そして、補助リブは仕切りリブの角部に連続するため、成形に際しての離型性も改善され、成形品の変形等の発生も防止することができる。
【００１３】
特に、請求項２の発明にかかるキャリアテープは、補助リブの高さを仕切りリブの高さと略同一とするため、より高い剛性が得られリード収容溝の変形をより確実に防止できる。
同様に、請求項４の発明にかかるキャリアテープは、補助リブの台座対角線外方側の端部を拡幅して大きな面積でポケットの側壁等と連続させるため、より高い剛性が得られる。
【００１４】
また、請求項３の発明にかかるキャリアテープは、補助リブの幅寸法ｂを仕切りリブの幅寸法ａ以上で、２ａ・cos π/4以下とするため、十分な剛性を確保でき、また、ポケットに収容した電子部品のリードが補助リブに干渉することを防止できる。すなわち、補助リブの幅ｂが値ａに満たなければリード収容溝の形状保持性を十分に確保できず、逆に、値（２ａ・cos π/4）より大きければリード収納領域にはみ出してリード干渉するが、上記範囲の幅寸法とすることで十分な形状保持が図れ、また、リードとの干渉が防止される。
【００１５】
【発明の実施の形態】
以下、この発明の実施の形態を図面を参照して説明する。
図１はこの発明の一の実施の形態にかかるキャリアテープを示し、図１ａが平面図、図１ｂが図１ａのＡ−Ｏ−Ａ矢視断面図である。
【００１６】
図中、１はキャリアテープを示し、キャリアテープ１には一面（表面）に多数のキャビティ１０が長手方向に一定間隔で形成され、また、幅方向両側に多数の送り孔２０が長手方向に一定間隔で形成される。なお、図示と詳細な説明は省略するが、このキャリアテープ１はポケット１０内にＱＦＰ等の半導体パッケージ（電子部品）Ｐを収納した状態で表面に周知のカバーテープが貼合され、ポケット１０の開口が閉塞される。
【００１７】
ポケット１０は、テープ１の表面に正方形状に開口する凹部からなり、底部に周囲の側面と所定の間隔を隔て突出する平面視正方形状の台座１１が膨出成形される。このポケット１０内には、台座１１の回りに台座１１の起立壁とポケット１０の側壁とによりリード収容溝１２が形成される。リード収容溝１２は、平面視略正方形枠状をなし、モールド部Ｐａが台座１１上に載置された半導体パッケージＰのリードＰｂを収容する。
【００１８】
台座１１は、側壁（起立壁）が上部に向かって互いに接近する方向に傾斜した断面台形状であって、上面がモールド部Ｐａと略同一の平面視形状（本実施の形態では正方形）を有する。この台座１１は、上面周縁に全周にわたって連続する仕切りリブ１３が一体に突設され、上面中央に電子部品検知用の検知孔１９が貫通形成される。仕切りリブ１３は、台座１１の上面周縁を膨出させてなり、台座１１の上面周縁に沿って正方形の辺状に延在する。
【００１９】
また、ポケット１０内には、台座１１上面に仕切りリブ１３の４角部からそれぞれ台座１１の対角線外方に向かって補助リブ１７が膨出成形される。補助リブ１７は、台座１１の対角線内方側の端部（内端部）が仕切りリブ１３と台座１１の座面からの高さが同一であり、仕切りリブ１３と連続し、対角線外方に向かうにつれて座面からの高さが漸減し、外端部がリード収容溝１２の底面にポケット１０の側壁近傍で連続する。この補助リブ１７は、付け根の幅寸法ｂが仕切りリブ１３の幅寸法ａに対して下記の式で定まる範囲の値に形成される。ａ≦ｂ≦２×ａ×coｓ４５°（式）
【００２０】
この実施の形態にかかるキャリアテープ１にあっては、各ポケット１０内にそれぞれ半導体パッケージＰを収容し、表面に各ポケット１０の開口を閉止するカバーテープが貼合される。ここで、ポケット１０内に収容された半導体パッケージＰは、モールド部Ｐａを台座１１上に載置させ、また、リードＰｂをリード収容溝１２内に位置させる。
【００２１】
そして、ポケット１０内には、仕切りリブ１３の４角部にそれぞれ補助リブ１７が連続し、これら補助リブ１７が台座１１の上面対角線方向外方に延出してリード収容溝１２の底面にポケット１０の側壁近傍で連続する。このため、リード収容溝１２は形状保持性、すなわち、剛性が高く、前述した図６ａ，ｂ，ｃに示すような曲げモーメント作用してもリード収容溝１２の変形が小さい。したがって、曲げモーメントが作用しても半導体パッケージＰのリードＰｂとポケット１０の側壁とが当接することがなく、この当接等に起因したリードＰｂの曲げ等が防止される。
【００２２】
また、このキャリアテープ１は、補助リブ１７の幅寸法が仕切りリブ１３の幅寸法に対して下式を充足する値を有する。
ａ≦ｂ≦２・ａ・cos45 °        （式）
このため、剛性を十分に向上でき、また、補助リブ１７が仕切りリブ１３の内側面に沿った線の間の領域、すなわち、リードフレーム収容領域にはみ出すことがなく、半導体パッケージＰのリードＰｂが補助リブ１７と干渉することも防止できる。
【００２３】
さらに、このキャリアテープ１は金型を用いて圧空成形等により成形され、金型に成形された微細な突条等により仕切りリブ１３が成形される。そして、前述したように、成形に際しては仕切りリブ１３が正方形枠状であるため仕切りリブ１３が角部で金型に密着し、仕切りリブ１３と金型の離型性が阻害される。しかしながら、仕切りリブ１３の４角部にはそれぞれ補助リブ１７が連続し、この補助リブ１７を仕切りリブ１３と同時に成形するため、離型性が改善され、離型を円滑に行える。
【００２４】
図２はこの発明の他の実施の形態にかかるキャリアテープを示し、図２ａが一部を拡大した平面図、図２ｂが図２ａのＢ−Ｏ−Ｂ矢視断面図である。
なお、この実施の形態および後述する各実施の形態では前述したキャリアテープと同一の部分には同一の番号を付して説明を割愛する。
【００２５】
この実施の形態にあっては、補助リブ１７が仕切りリブ１３の座面からの高さが同一で連続し、この高さを維持して、すなわち、均一な高さを維持してポケット１０の角部に連続する。前述した実施の形態と同様に、補助リブ１７は、幅寸法ｂが前述した式により規定される値を有する。
【００２６】
この実施の形態においては、補助リブ１７は全長にわたって仕切りリブ１３と同一の高さを有し、内端部が仕切りリブ１３に、外端部がポケット１０の角部に連続する。このため、リード収容溝１２の形状保持性がより優れ、リード収容溝１２の変形がより抑制され、また、成形に際しての離型性が改善される。
【００２７】
図３はこの発明の参考形態にかかるキャリアテープを示し、図２ａのＢ−Ｏ−Ｂ矢視断面に相当する断面図である。この参考形態にあっては、補助リブ１７は内端部が仕切りリブ１３に同一高さで連続し、外端部がポケット１０の角部の上部に連続し、その高さが対角線方向外方に向かって漸増する。
【００２８】
この参考形態にあっても、リード収容溝１２の形状保持性が優れ、ポケット１０の壁面とリードＰｂの曲がり等が防止でき、また、成形に際しての離型性が改善される。
【００２９】
図４はこの発明のさらに他の実施の形態にかかるキャリアテープを示し、図４ａが一部を拡大した平面図、図４ｂが図４ａのＣ−Ｃ矢視断面図である。
この実施の形態にかかるキャリアテープ１は、台座１１の上面周縁に仕切りリブ１３と隣接して溝１８を形成する。溝１８は、仕切りリブ１３と相似な四角枠状に延在する。
【００３０】
この実施の形態は、仕切りリブ１３の内側の立ち上がり部が湾曲していた場合でも、この立ち上がり部に半導体パッケージＰのモールド部Ｐａの下側縁部が干渉する（乗り上げる）ことがなく、モールド部Ｐａと仕切りリブ１３の立ち上がり部との干渉に起因した半導体パッケージＰの浮き上がりが防止される。
【００３１】
図５はこの発明のまたさらに他の実施の形態にかかるキャリアテープを示し、図５ａが一部を拡大した平面図、図５ｂが図５ａのＤ−Ｄ矢視断面図である。
この実施の形態にかかるキャリアテープ１は、ポケット１０の底面に４つの凸部１６を台座１１として対称的に突設する。これら凸部１６は、上面（天面）が平坦な平面視四角形状を有し、前述した各実施の形態における台座１１と同等の突出高さを有する。また、仕切りリブ１３は、ポケット１０の各辺中央位置で分断され、ポケット１０の４隅部に略Ｙ字状に形成される。
【００３２】
この実施の形態にあっては、半導体パッケージＰのモールド部Ｐａが各凸部１６上に載せられるため、仕切りリブ１３の内側基端部（付け根部）が湾曲していてもモールド部Ｐａと仕切りリブ１３が干渉することがなく、半導体パッケージＰの浮き上がりが防止され、また、半導体パッケージＰを適正な姿勢、すなわち、モールド部Ｐａがテープと平行な姿勢で収容できる。
【００３３】
なお、上述した各実施の形態では、補強リブ１７を一様な幅に成形するが、図６ａ，ｂに示すように外端部を拡幅することも可能である。すなわち、図６ａに示す態様は、図２，３に示す補強リブ１７のポケット１０壁部と連続する外端部を直線的（一次関数的な特性）に拡幅、すなわち、Ｃ面取り形状に拡幅する。
また同様に、図６ｂに示す態様は、補強リブ１７の外端部を二次関数的な特性、すなわち、外端部の側縁を曲面として拡幅する。これら図６ａ，ｂの態様にあっては、補強リブ１７の外端部が拡幅して大きな面積でポケット１０の壁と連続するため、リード収容溝１２の形状保持性をより改善することができ、離型性もより改善される。
【００３４】
さらに、上述した図４の実施の形態においては、台座１１の上面周縁に溝１８を形成するが、この溝１８に代えて仕切りリブ１３の基端に向かって下向きに傾斜する傾斜部を台座１１の上面に形成することもできる。また、図５の実施の形態においては、凸部１６の平面形状は任意に選択できる。
【００３５】
【実施例】
次に、実施例を説明する。
この実施例では、下記の試験サンプル作成方法により図１の実施の形態に相当する試験サンプル１と、図２の実施の形態に相当する試験サンプル２を作成し、これら試験サンプル１と試験サンプル２について下記のテスト方法により落下テストと実装テストを行った。
【００３６】
・試験サンプルの作成方法
サーモシートＥＣ（電気化学工業（株）製、商品名）の厚さ０．３ｍｍのものを圧空成形法で成形したキャリアテープに、電気部品として半導体パッケージ（ＬＱＦＰ１００Ｐ）を収容し、外径３３０ｍｍ、内径１００ｍｍのＰＳ製インジェクションリールに巻いたものを１０リール用意し、これらを段ボール箱に収容して試験サンプルとした。
ただし、試験サンプル１にかかるキャリアテープはポケット１０の深さが２．０ｍｍ、試験サンプル２にかかるキャリアテープはポケット１０の深さが３．５ｍｍであり、また、試験サンプル１および試験サンプル２ともに１リールの半導体パッケージ収納数は１０００個である。
【００３７】
・テスト方法
１）  落下テスト
ＪＩＳ  Ｚ０２０２に準じ、７５ｃｍの高さからの落下を行った。
２）  実装テスト
落下テストを行ったサンプルを富士機械製造（株）製実装機ＣＰ−６を用い、タクトタイム０．２秒で実装を行った。
【００３８】
上述した試験サンプル１および試験サンプル２について、落下テスト後の半導体パッケージＰのリードＰｂの曲がりを目視により評価したが曲がりは発見できず、また、実装テストも実装不良を生じること無く行え、本発明のキャリアテープが優れていることが実証された。
【００３９】
【発明の効果】
以上説明したように、この発明にかかるキャリアテープによれば、ポケット内に平面視四角形状の台座を膨出形成して台座の周りにリード収容溝を区画形成するとともに、この台座の上面周縁に仕切りリブを突出形成し、この仕切りリブの角部から対角線方向外側にポケット側壁に連続する補助リブを形成するため、剛性が向上してリード収容溝の形状保持性が改善され、ポケット側壁とリードの当接等に起因したリードの曲がりが防止でき、また、成形に際しての成形金型の離型性も改善される。
【００４０】
さらに加えて、請求項２に記載の発明にかかるキャリアテープは、リード収容溝の形状保持性を十分に確保しつつ補助リブとリードの干渉を防止でき、
また、請求項３に記載の発明にかかるキャリアテープは、リード収容溝の形状保持性がより改善されるため、リードの曲がり等をより確実に防止できるし、成形金型との離型性をより改善できる。
【図面の簡単な説明】
【図１】  この発明の一の実施の形態にかかるキャリアテープを示し、ａが一部を拡大した平面図、ｂがａのＡ−Ｏ−Ａ矢視断面図である。
【図２】  この発明の他の実施の形態にかかるキャリアテープを示し、ａが一部を拡大した平面図、ｂがａのＢ−Ｏ−Ｂ矢視断面図である。
【図３】  この発明の参考形態にかかるキャリアテープを示し、図２ａのＢ−Ｏ−Ｂ矢視に相当する断面図である。
【図４】  この発明のさらに他の実施の形態にかかるキャリアテープを示し、ａが一部を拡大した平面図、ｂがａのＣ−Ｏ−Ｃ矢視断面図である。
【図５】  この発明のまたさらに他の実施の形態にかかるキャリアテープを示し、ａが一部を拡大した平面図、ｂがａのＤ−Ｏ−Ｄ矢視断面図である。
【図６】  ａ，ｂがそれぞれこの発明の他の態様にかかるキャリアテープの一部を拡大した平面図である。
【図７】  従来のキャリアテープを示し、ａが一部を拡大した平面図、ｂがａのＥ−Ｅ矢視面図である。
【図８】  ａ，ｂ，ｃがそれぞれ同従来のキャリアテープの問題を説明するための図７ａのＥ−Ｅ矢視線に相当する断面図である。
【図１】
0003907240.tif 000002
【図２】
0003907240.tif 000003
【図３】
0003907240.tif 000004
【図４】
0003907240.tif 000005
【図５】
0003907240.tif 000006
【図６】
0003907240.tif 000007
【図７】
0003907240.tif 000008
【図８】
0003907240.tif 000009